(57)【要約】      （修正有）【課題】セル配列の工夫によって、運転時のモジュールの温度分布をより均一化したナトリウム−硫黄電池を提供する。【解決手段】複数の円筒型セルが容器に収容され、その容器のセルとセルとの間に熱媒体が充填されてなるナトリウム−硫黄電池において、容器２０の端部１８ａ，１８ｂにおけるセル１４の並びが最密配列であり、容器２０の中央部１９におけるセル１４の並びが正方配列であるナトリウム−硫黄電池のモジュール２を用いる。【選択図】図１
2007273297.tif 000002
【特許請求の範囲】
【請求項１】
複数のセルが容器に収容され、その容器のセルとセルとの間に熱媒体が充填されてなるナトリウム−硫黄電池であって、
前記容器の一定容積あたりの前記熱媒体の熱容量が、前記容器の外周部のうちの少なくとも一対の端部と、前記容器の中央部と、で異なるナトリウム−硫黄電池。
【請求項２】
前記容器の一定容積あたりの熱媒体の熱容量は、前記容器の外周部のうちの少なくとも一対の端部の方が、前記容器の中央部より、小さい請求項１に記載のナトリウム−硫黄電池。
【請求項３】
前記容器に充填された熱媒体が、前記容器の外周部のうちの少なくとも一対の端部と、前記容器の中央部と、で異なる物である請求項２に記載のナトリウム−硫黄電池。
【請求項４】
前記容器の外周部のうちの少なくとも一対の端部に充填された熱媒体の比熱が、前記容器の中央部に充填された熱媒体の比熱より、小さい請求項３に記載のナトリウム−硫黄電池。
【請求項５】
前記容器に充填された熱媒体が、前記容器の外周部のうちの少なくとも一対の端部と、前記容器の中央部と、で同一物である請求項２に記載のナトリウム−硫黄電池。
【請求項６】
前記熱媒体が砂である請求項５に記載のナトリウム−硫黄電池。
【請求項７】
前記熱媒体が充填される、前記セルとセルとの間の前記容器の空間の容積は、前記容器の外周部のうちの少なくとも一対の端部の方が、前記容器の中央部より、小さい請求項５又は６に記載のナトリウム−硫黄電池。
【請求項８】
前記容器に収容される複数のセルが、それぞれ円筒状を呈するものであり、前記容器の外周部のうちの少なくとも一対の端部におけるセルの並びが以下に定義される最密配列であり、前記容器の中央部におけるセルの並びが以下に定義される正方配列である請求項１又は７に記載のナトリウム−硫黄電池。
最密配列とは、円筒状を呈する一のセルが隣接する他の全てのセルと互いに周面を接して配置される最も密接な配列である。
正方配列とは、円筒状を呈する任意の４つのセルがその中心軸を平面上の正方形の頂点に位置させて配置され且つ対角上のセルを除き互いに周面を接して配置される配列である。
【請求項９】
前記複数のセルが直列に接続されて一列のストリングを構成し、そのストリングが、複数、並列に接続され且つ並列に配置されてモジュールを構成して、前記容器に収容される請求項１〜８の何れか一項に記載のナトリウム−硫黄電池。
【請求項１０】
複数のセルが、直列に接続されて一列のストリングを構成し、そのストリングが、複数、並列に接続され且つ並列に配置されてモジュールを構成して、容器に収容され、その容器のセルとセルとの間に熱媒体が充填されてなるナトリウム−硫黄電池であって、
前記容器に収容される複数のセルが、それぞれ円筒状を呈するものであり、
前記並列に接続され且つ並列に配置された前記ストリングの並び方向における、両外側部のストリングに属するセルの並びが以下に定義される最密配列であり、中央部のストリングに属するセルの並びが以下に定義される正方配列であるナトリウム−硫黄電池。
最密配列とは、円筒状を呈する一のセルが隣接する他の全てのセルと互いに周面を接して配置される最も密接な配列である。
正方配列とは、円筒状を呈する任意の４つのセルがその中心軸を平面上の正方形の頂点に位置させて配置され且つ対角上のセルを除き互いに周面を接して配置される配列である。
【発明の詳細な説明】
【技術分野】
【０００１】
本発明は、セルの配列の工夫によって運転時の温度分布を均一化したナトリウム−硫黄電池に関する。
【背景技術】
【０００２】
昼夜間の格差の大きい電力需要を平準化するための電力平準化装置や、自然災害時の非常用電源等における電力貯蔵手段として、ナトリウム−硫黄電池が使用されるようになってきている。このナトリウム−硫黄電池は、一方に陰極活物質である溶融金属ナトリウムを配し、他方には陽極活物質である溶融硫黄を配し、両者をナトリウムイオンに対して選択的な透過性を有するβ−アルミナ固体電解質で隔離した二次電池であり、他の二次電池に比べて、エネルギー密度が高く、設備がコンパクトで、自己放電が殆ど生じず電池効率が高く、メンテナンスが容易である、等の優れた特徴を有するものである。
【０００３】
ナトリウム−硫黄電池は、一般に、セル（単電池）を直列に接続してストリングを構成し、そのストリングを並列に接続してモジュールを構成する。そして、多くの場合、ナトリウム−硫黄電池は、モジュールを直列に接続したモジュール列を並列に配置して、それら全体を交直変換装置及び変圧器で電力系統等と接続した電力貯蔵システムの主構成要素として使用される。尚、以下に示す本発明の課題に関係するナトリウム−硫黄電池の先行文献は存在しないようである。
【発明の開示】
【発明が解決しようとする課題】
【０００４】
このようなナトリウム−硫黄電池は、通常、２８０〜３６０℃の高温で動作させる。この動作温度範囲は、電池反応により発生する熱の利用と、電池の構成に不可欠な材料の特性及び電池を構成するための種々の部材の特性の制約により、規定されるものである。そして、適切な温度範囲での運転を実現するために、ナトリウム−硫黄電池では、モジュール毎に、セルを収容する容器として断熱容器を用いるとともに、温度を計測し、加熱手段であるヒータをＯＮ／ＯＦＦさせ、又は放熱手段を調整して、モジュール内の温度を調節している。従って、各モジュールにおいては、モジュールに含まれる全てのセルを動作温度範囲内に置きそれらに所望の充放電動作を行わせ、且つ、ヒータがＯＮになることを極力防止してヒータの消費電力を含めた電池効率を向上させるために、温度分布を均一にすることが重要な課題となる。
【０００５】
上記課題に対する一の解決手段としては、モジュール毎に設けられる容器からの放熱を、専ら、各セルから均等の位置にある容器の上面から行い、一部のセルのみが近接する容器の側面からの放熱量を低く抑える方法が考えられる。
【０００６】
しかし、容器（内）の中央部と、外部に近い容器（内）の外周部と、を比較すると、外周部の方が放熱（量）が大きく、通常、容器（内）の熱容量分布は、ほぼ均一である。そのため、放電時においては、容器の中央部の方が、容器の外周部に比べて、ジュール熱による温度上昇が大きく、容器の中央部のセルの内部抵抗が、容器の外周部のセルの内部抵抗より低くなり、より放電し易くなる。その結果、中央部の方が、早期に放電末に達してしまい、外周部の放電容量が残っているにもかかわらず、放電が停止してしまうことが生じる。又、熱容量が十分でない場合やセルの内部抵抗が高い場合には、中央部のセルの温度が運転温度の上限に達してしまい、放電途中で放電が停止する可能性もある。一方、充電時において、容器の中央部に比較して、容器の外周部の方が、セルの内部抵抗が高いことから、所定時間において十分な充電がなされなくなり、その後の放電容量が少なくなってしまう。つまり、モジュールの放電容量が制限される、という問題が生じる。
【０００７】
本発明は、上述した事情に鑑みてなされたものであり、その目的とするところは、容器におけるストリング（又はセル）の配置場所によらず、全体の温度分布を均一化することで、それを流れる電流を一定にすることが出来得るナトリウム−硫黄電池（モジュール）を提供することにある。研究が重ねられた結果、以下に示すナトリウム−硫黄電池（モジュール）により、上記目的が達成されることが見出された。
【課題を解決するための手段】
【０００８】
即ち、本発明によれば、（１）複数のセルが容器に収容され、その容器のセルとセルとの間に熱媒体が充填されてなるナトリウム−硫黄電池であって、容器の一定容積あたりの熱媒体の熱容量が、容器の外周部のうちの少なくとも一対の端部と、容器の中央部と、で異なるナトリウム−硫黄電池（第１のナトリウム−硫黄電池ともいう）が提供される。
【０００９】
本明細書において、容器の外周部のうちの少なくとも一対の端部と表現されるが、これは、セルが収容された容器を上面から見て、容器の中央部と容器の外周部とに任意に分け、そのうち容器の外周部に含まれる部分のうち、容器の中心を挟んで対向する２つの部分（一定の範囲を有する両端部分）を指す。例えば、容器が直方体の場合には、上面から長方形に見えるが、この長方形における対向する２辺の側が、容器の外周部の一対の端部に相当する。
【００１０】
少なくとも、であるから、容器の外周部の全てであってもよい。即ち、容器の一定容積あたりの熱媒体の熱容量が、容器の外周部のうちの少なくとも一対の端部と、容器の中央部と、で異なるとは、容器の一定容積あたりの熱媒体の熱容量が、容器の外周部（の全て）と、容器の中央部と、で異なる場合を含む。
【００１１】
容器の一定容積あたりの熱媒体の熱容量には、容器に収容されたセル自体の熱容量は含まれない。セルとセルとの間に充填された熱媒体のみの熱容量である。
【００１２】
上記（１）の本発明に係るナトリウム−硫黄電池（第１のナトリウム−硫黄電池）においては、（２）容器の一定容積あたりの熱媒体の熱容量は、容器の外周部のうちの少なくとも一対の端部の方が、容器の中央部より、小さいことが好ましい。
【００１３】
上記（２）の態様においては、（３）容器に充填された熱媒体が、容器の外周部のうちの少なくとも一対の端部と、容器の中央部と、で異なる物であることが好ましい。
【００１４】
そして、上記（３）の態様においては、（４）容器の外周部のうちの少なくとも一対の端部に充填された熱媒体の比熱が、容器の中央部に充填された熱媒体の比熱より、小さいことが好ましい。
【００１５】
又、上記（２）の態様においては、（５）容器に充填された熱媒体が、容器の外周部のうちの少なくとも一対の端部と、容器の中央部と、で同一物であることが好ましい。
【００１６】
そして、上記（５）の態様においては、熱媒体が砂であることが好ましい。
【００１７】
更に、上記（５）又は（６）の態様においては、（７）熱媒体が充填される、セルとセルとの間の容器の空間の容積は、容器の外周部のうちの少なくとも一対の端部の方が、容器の中央部より、小さいことが好ましい。
【００１８】
上記（１）の本発明に係るナトリウム−硫黄電池又は上記（７）の態様においては、（８）容器に収容される複数のセルが、それぞれ円筒状を呈するものであり、容器の外周部のうちの少なくとも一対の端部におけるセルの並びが以下に定義される最密配列であり、容器の中央部におけるセルの並びが以下に定義される正方配列であることが好ましい。最密配列とは、円筒状を呈する一のセルが隣接する他の全てのセルと互いに周面を接して配置される最も密接な配列である。正方配列とは、円筒状を呈する任意の４つのセルがその中心軸を平面上の正方形の頂点に位置させて配置され且つ対角上のセルを除き互いに周面を接して配置される配列である。
【００１９】
上記（１）の本発明に係るナトリウム−硫黄電池又は上記（２）〜（８）の何れかの態様においては、（９）複数のセルが直列に接続されて一列のストリングを構成し、そのストリングが、複数、並列に接続され且つ並列に配置されてモジュールを構成して、容器に収容されるものであることが好ましい。即ち、本発明に係るナトリウム−硫黄電池は、容器に収容されたモジュールにあたるものであることが好ましい。
【００２０】
又、本発明によれば、（１０）複数のセルが、直列に接続されて一列のストリングを構成し、そのストリングが、複数、並列に接続され且つ並列に配置されてモジュールを構成して、容器に収容され、その容器のセルとセルとの間に熱媒体が充填されてなるナトリウム−硫黄電池であって、容器に収容される複数のセルが、それぞれ円筒状を呈するものであり、並列に接続され且つ並列に配置されたストリングの並び方向における、両外側部のストリングに属するセルの並びが以下に定義される最密配列であり、中央部のストリングに属するセルの並びが以下に定義される正方配列であるナトリウム−硫黄電池が提供される（第２のナトリウム−硫黄電池ともいう）。最密配列とは、円筒状を呈する一のセルが隣接する他の全てのセルと互いに周面を接して配置される最も密接な配列である。正方配列とは、円筒状を呈する任意の４つのセルがその中心軸を平面上の正方形の頂点に位置させて配置され且つ対角上のセルを除き互いに周面を接して配置される配列である。
【００２１】
上記（１０）の本発明に係るナトリウム−硫黄電池（第２のナトリウム−硫黄電池）は、上記（１）の本発明に係るナトリウム−硫黄電池（第１のナトリウム−硫黄電池）の（８）及び（９）の態様に相当するものであり、それに加えて、容器の外周部のうちの少なくとも一対の端部を、（容器内で）並列に接続され且つ並列に配置されたストリングの並び方向における両外側部、として特定し、容器の中央部を、（容器内で）並列に接続され且つ並列に配置されたストリングの並び方向における中央部、として特定したものである。尚、本明細書において、単に本発明に係るナトリウム−硫黄電池というときは、第１のナトリウム−硫黄電池と第２のナトリウム−硫黄電池の両方を指す。
【発明の効果】
【００２２】
（ｉ）本発明に係る第１のナトリウム−硫黄電池は、容器の一定容積あたりの熱媒体の熱容量が、容器の外周部のうちの少なくとも一対の端部と、容器の中央部と、で異なり、好ましい態様において、容器の一定容積あたりの熱媒体の熱容量は、容器の外周部のうちの少なくとも一対の端部の方が、容器の中央部より、小さい。従って、容器の外周部（のうちの少なくとも一対の端部）の方が、容器の中央部より、運転時（充放電時）において温度上昇し易いといえるが、放熱し難い環境の容器の中央部と比較して、容器の外周部は放熱し易い環境であるため、容器の中央部と外周部とで、温度分布環境が近似するようになる。
【００２３】
（ａ）そのため、セル（又はストリング）に電流が流れて生じるジュール発熱による温度上昇に差が生じ難くなり、容器全体の温度分布が、従来より均一になる。
【００２４】
（ｂ）そして、本発明に係る第１のナトリウム−硫黄電池では、容器全体の温度分布が均一であることから、容器における配置位置によらずセルの内部抵抗も均一に維持される。従来のように、セル（又はストリング位置）による放電容量に差が生じることがなく、モジュールの放電容量が制限されるという問題は防止される。
【００２５】
（ｃ）ナトリウム−硫黄電池が、複数のセルが直列に接続されて一列のストリングを構成し、そのストリングが、複数、並列に接続され且つ並列に配置されてモジュールを構成して、容器に収容されるものである場合にも、ストリングの配置場所によらず、それを流れる電流を一定にすることが出来、モジュール全体の温度分布が均一なものになり得る。
【００２６】
（ｉｉ）本発明に係る第１のナトリウム−硫黄電池は、その好ましい態様において、容器に充填された熱媒体が、容器の外周部のうちの少なくとも一対の端部と、容器の中央部と、で異なる物であり、容器の外周部のうちの少なくとも一対の端部に充填された熱媒体の比熱が、容器の中央部に充填された熱媒体の比熱より、小さいので、容器の一定容積あたりの熱媒体の熱容量は、容器の外周部のうちの少なくとも一対の端部の方が、容器の中央部より、小さくなる。従って、容器の外周部（のうちの少なくとも一対の端部）の方が、容器の中央部より、運転時（充放電時）において温度上昇し易いといえるが、放熱し難い環境の容器の中央部と比較して、容器の外周部は放熱し易い環境であるため、容器の中央部と外周部とで、温度分布環境が近似するようになる。そのため、（ｉ）と同様に、（ａ）〜（ｃ）の効果が得られる。
【００２７】
（ｉｉｉ）本発明に係る第１のナトリウム−硫黄電池は、その好ましい態様において、容器に充填された熱媒体が、容器の外周部のうちの少なくとも一対の端部と、容器の中央部と、で同一物であり（例えば、熱媒体が砂であり）、熱媒体が充填される、セルとセルとの間の容器の空間の容積は、容器の外周部のうちの少なくとも一対の端部の方が、容器の中央部より、小さいので、容器の一定容積あたりの熱媒体の熱容量は、容器の外周部のうちの少なくとも一対の端部の方が、容器の中央部より、小さくなる。従って、容器の外周部（のうちの少なくとも一対の端部）の方が、容器の中央部より、運転時（充放電時）において温度上昇し易いといえるが、放熱し難い環境の容器の中央部と比較して、容器の外周部は放熱し易い環境であるため、容器の中央部と外周部とで、温度分布環境が近似するようになる。そのため、（ｉ）と同様に、（ａ）〜（ｃ）の効果が得られる。
【００２８】
（ｉｖ）本発明に係る第１のナトリウム−硫黄電池は、その好ましい態様において、容器に収容される複数のセルが、それぞれ円筒状を呈するものであり、容器の外周部のうちの少なくとも一対の端部におけるセルの並びが最密配列であり、容器の中央部におけるセルの並びが正方配列である。これは、上記（ｉｉｉ）の態様、即ち、容器に充填された熱媒体が、容器の外周部のうちの少なくとも一対の端部と、容器の中央部と、で同一物（例えば砂）である場合に、熱媒体が充填される、セルとセルとの間の容器の空間の容積が、容器の外周部のうちの少なくとも一対の端部の方が、容器の中央部より、小さくなる態様の具体的な例である。この態様によれば、容器の一定容積あたりの熱媒体の熱容量は、容器の外周部のうちの少なくとも一対の端部の方が、容器の中央部より、小さくなる。従って、容器の外周部（のうちの少なくとも一対の端部）の方が、容器の中央部より、運転時（充放電時）において温度上昇し易いといえるが、放熱し難い環境の容器の中央部と比較して、容器の外周部は放熱し易い環境であるため、容器の中央部と外周部とで、温度分布環境が近似するようになる。そのため、（ｉ）と同様に、（ａ）〜（ｃ）の効果が得られる。
【００２９】
（ｖ）本発明に係る第２のナトリウム−硫黄電池は、複数のセルが、直列に接続されて一列のストリングを構成し、そのストリングが、複数、並列に接続され且つ並列に配置されてモジュールを構成して、容器に収容され、その容器のセルとセルとの間に熱媒体が充填されてなるナトリウム−硫黄電池であって、容器に収容される複数のセルが、それぞれ円筒状を呈するものであり、並列に接続され且つ並列に配置されたストリングの並び方向における、両外側部のストリングに属するセルの並びが最密配列であり、中央部のストリングに属するセルの並びが正方配列である。
【００３０】
（ｄ）そのため、並列に接続され且つ並列に配置されたストリングの並び方向における両外側部と中央部とを比較して、セル（又はストリング）に電流が流れて生じるジュール発熱による温度上昇に、差が生じ難くなり、容器全体の温度分布が、従来より均一になる。
【００３１】
（ｅ）そして、本発明に係る第２のナトリウム−硫黄電池では、容器全体の温度分布が均一であることから、並列に接続され且つ並列に配置されたストリングの並び方向における両外側部のストリングに属するセルであるか、中央部のストリングに属するセルであるかによらず、モジュールの放電容量が制限されるという問題は防止される。
【発明を実施するための最良の形態】
【００３２】
以下、本発明について、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報によって制限されない。本発明を実施し又は検証する上では、本明細書中に記述されたものと同様の手段若しくは均等な手段が適用され得るが、好適な手段は、以下に記述される手段である。
【００３３】
図７は、本発明に係るナトリウム−硫黄電池に相当するモジュール２が、容器に収容された様子の一例を示す図であり、一部を透視した斜視図である。図７に示されるモジュール２は、底面ヒータ１５及び側面ヒータ１６を備え、断熱箱２１と断熱蓋２２からなる容器２０に、複数のセル１４が収容されてなるものである。セル１４は、一方に陰極活物質である溶融金属ナトリウムを配し他方には陽極活物質である溶融硫黄を配し両者をナトリウムイオンに対して選択的な透過性を有するβ−アルミナ固体電解質で隔離してなる電池の最小構成要素（単電池）である。モジュール２は、セル１４を、複数、直列に接続して一列のストリングを構成し、更に、そのストリングを、複数、並列に接続し且つ並列に配置して、構成される。
【００３４】
図１は、本発明に係るナトリウム−硫黄電池（モジュール２）の一実施形態を示す平面図である。本発明に係るナトリウム−硫黄電池は、セル１４の配列の工夫によって運転時の温度分布の均一化を図ったものであり、図１に示されるように、容器２０（断熱箱２１）には、円筒状を呈する複数のセル１４が、直列に接続されて（図１において横方向に）一列のストリングを構成し、そのストリングが、複数、並列に接続され且つ並列に配置され、収容されており、容器２０の外周部のうちの一対の端部１８ａ，１８ｂにおけるセル１４の並びは最密配列になっている。一方、容器２０の中央部１９におけるセル１４の並びは正方配列である。容器２０の外周部のうちの一対の端部１８ａ，１８ｂは、容器２０内で並列に接続され且つ並列に配置されているストリングの並び方向（端部１８ａと端部１８ｂとを結ぶ方向）における両外側部に相当し、容器２０の中央部１９は、同じくストリングの並び方向における中央部に相当する。又、容器２０は、図１に示されるように、直方体であって平面図が長方形になるものであり、この場合において、容器２０の外周部のうちの一対の端部１８ａ，１８ｂは、この長方形における２組の対向する２辺のうち短辺の側に相当し、換言すれば、この長方形の長手方向の両端部側に相当する（図１を参照）。
【００３５】
図５及び図６には、４つ取り出されたセル１４の並びが示されており、そのうち図５は最密配列を示す平面図であり、図６は正方配列を示す平面図である。図５に示される最密配列とは、円筒状を呈する一のセル１４が、隣接する他の全てのセル１４と互いに周面を接して配置される最も密接な配列である。最密配列では、例えば４つのセル１４の中心を結んで描かれる図形は菱形５１になる。図６に示される正方配列とは、円筒状を呈する（任意の）４つのセル１４が、その中心軸を（平面上の）正方形６１の頂点に位置するように配置され、且つ対角上のセル１４を除くセル１４が互いに周面を接して配置される配列である。
【００３６】
最密配列では、熱媒体が充填される、セル１４とセル１４との間の容器２０の空間５２の容積が、正方配列の場合より小さくなる（図１、図５及び図６を参照）。そのため、モジュール２においては、セル１４が最密配列をされる（外周部である）一対の端部１８ａ，１８ｂの方が、セル１４が正方配列をされる中央部１９より、熱媒体が充填される容積が小さくなる。従って、モジュール２の全範囲において、熱媒体として同じ砂（比熱が同じ）を使用した場合には、容器２０の一定容積あたりの、セル１４の周辺に存在する熱媒体の熱容量は、容器２０の（外周部である）一対の端部１８ａ，１８ｂの方が、中央部１９より、小さくなる。
【実施例】
【００３７】
以下、本発明を実施例に基づいて更に詳細に説明するが、本発明はこれらの実施例に限定されるものではない。
【００３８】
（実施例１、比較例１，２）１６本のセル１４（出力１４３Ｗ／セル）を直列に接続して一列のストリングを構成し、そのストリングを、２０列、並列に接続し且つ並列に配置してモジュールを構成して、セル１４の配列の異なるモジュール２（実施例１、図１を参照）、モジュール２１０（比較例１、図２を参照）、モジュール２２０（比較例２、図３を参照）を得た。モジュール２は、既述のように、容器２０（断熱箱２１）におけるセル１４の配列が、一対の端部１８ａ，１８ｂにおいて最密配列であり、中央部１９において正方配列である。モジュール２１０は、容器２０（断熱箱２１）におけるセル１４の配列が、端部１８ａ，１８ｂ及び中央部１９の全てにおいて最密配列である。モジュール２２０は、容器２０（断熱箱２１）におけるセル１４の配列が、端部１８ａ，１８ｂ及び中央部１９の全てにおいて正方配列である。
【００３９】
各モジュールを運転し、最も温度が上昇し易い放電末における、各モジュールの容器内の温度を測定した。温度分布を図４に示す。図４において符号２，２１０，２２０で示される線は、モジュール２，２１０，２２０のそれぞれの容器内の温度を表している。モジュール２における最高温度と最低温度の差（ΔＴ）は１０℃であり、同様に、モジュール２１０においてはΔＴ＝３０℃であり、モジュール２２０ではΔＴ＝１５℃であった。図４に示されるように、一対の端部１８ａ，１８ｂにおいて最密配列とし、中央部１９において正方配列としたモジュール２の温度分布が、モジュール２１０，２２０に比して、より均一になっており、ばらつきが小さいことが確認出来た。
【００４０】
又、同数のセルを配列したモジュール２，２１０，２２０において、必要面積は、モジュール２が２．８８ｍ２であり、モジュール２１０が２．７８ｍ２であり、モジュール２２０が２．８７ｍ２であった。面積を拡大させることなく、温度分布が均一なモジュール２を得ることが可能なことがわかった。
【産業上の利用可能性】
【００４１】
本発明に係るナトリウム−硫黄電池は、電力平準化装置や非常用電源等における電力貯蔵手段の電池モジュールとして利用することが可能である。
【図面の簡単な説明】
【００４２】
【図１】本発明に係るナトリウム−硫黄電池（モジュール）の一の実施形態を示す平面図である。
【図２】従来のモジュールを示す平面図である。
【図３】従来のモジュールを示す平面図である。
【図４】実施例の結果を示す図であり、図１、図２及び図３に示されるモジュールを運転した際の、各モジュールの容器内の温度分布を示すグラフである。
【図５】セルの並びを説明するための図であり、最密配列を示す平面図である。
【図６】セルの並びを説明するための図であり、正方配列を示す平面図である。
【図７】本発明に係るナトリウム−硫黄電池（モジュール）が容器に収容された様子の一例を示す図であり一部を透視した斜視図である。
【符号の説明】
【００４３】
２  モジュール（ナトリウム−硫黄電池）
４  交直変換装置
６  変圧器
１０，１２  モジュール列
１４  セル
１５  底面ヒータ
１６  側面ヒータ
１８ａ，１８ｂ  （容器の）端部
１９  中央部
２０  容器
２１  断熱箱
２２  断熱蓋
５２  （セルとセルとの間の）空間
２１０，２２０  モジュール（ナトリウム−硫黄電池）
【図１】
2007273297.tif 000003
【図２】
2007273297.tif 000004
【図３】
2007273297.tif 000005
【図４】
2007273297.tif 000006
【図５】
2007273297.tif 000007
【図６】
2007273297.tif 000008
【図７】
2007273297.tif 000009